(57)【要約】【課題】            露草花弁から実用可能な天然色素を抽出するとともに、その色素を用いた多機能印刷シールを提供する。【解決手段】        この発明の色素は、花弁を食塩水に浸漬することにより抽出された花弁の色素を、食塩水中に含ませてなる。そしてその抽出方法は摘花された露草の花弁を食塩水に浸漬することにより色素を抽出し定着させるとともに、色素抽出した色素含有食塩水は曝気処理され、色素抽出した色素含有食塩水は低温保存され、さらに顔料として使用する前に振動を与え又は曝気処理することにより色素を鮮明に復元する。  またこの発明のシールは露草花弁色素を顔料として添加した印刷インクにより表面に印刷を施してなり、印刷模様は青色の正円と該正円内に納まる赤色の星形八角形とからなり、星形正八角形の外周に一定幅の輪郭部７を形成し、該輪郭部７が上記正円に略内接する。【選択図】          図１
2006307102.tif 000002
【特許請求の範囲】
【請求項１】
花弁を食塩水に浸漬することにより抽出された花弁の色素を、食塩水中に含ませてなる露草花弁色素。
【請求項２】
摘花された露草の花弁を食塩水に浸漬することにより色素を抽出し定着させる露草花弁色素の抽出方法。
【請求項３】
色素抽出した色素含有食塩水を曝気処理する請求項２の露草花弁色素の抽出方法。
【請求項４】
色素抽出した色素含有食塩水を低温保存し、顔料として使用する前に振動を与え又は曝気処理することにより色素を鮮明に復元する請求項２又は３の露草花弁色素の抽出方法。
【請求項５】
食塩水が飽和食塩水である請求項２，３又は４の露草花弁色素の抽出方法。
【請求項６】
水に黒鉛珪石を浸漬させ、食塩を黒鉛珪石に接触又は近接させることにより処理したもので食塩水を作る請求項２，３，４又は５の露草花弁色素の抽出方法。
【請求項７】
請求項１の露草花弁色素を顔料として添加した印刷インクにより表面に印刷を施してなる多機能印刷シール。
【請求項８】
印刷模様が青色の正円と該正円内に納まる赤色の星形八角形とからなり、星形正八角形の外周に一定幅の輪郭部（７）を形成し、該輪郭部（７）が上記正円に略内接する請求項７の多機能印刷シール。
【発明の詳細な説明】
【技術分野】
【０００１】
この発明は露草花弁色素とその抽出方法及び多機能印刷シールに関する。
【背景技術】
【０００２】
一般に植物から抽出する草染め等の顔料は、赤色又は酸で赤変させた色素をアルカリで定着させて用いられることが知られているが、植物より抽出する青色の色素としては、藍系，紫系はあるものの原色系の青からなる顔料は存在しないと考えられていた。
これに対し野草である露草（別名：青花，螢草，帽子花等）の花弁からは水による青色の色素の抽出が可能であり、抽出後は和紙に含浸させたものを溶出させ、染物の下絵等に使用する例はあるが（特許文献１及び非特許文献１）、付着後経時変化により又は日光に当ると退色して色彩が残らないという性質があり、長期間の色彩を保存する顔料や染料としては不適当であった。
【特許文献１】特開昭５９−１３０３９０号公報
【非特許文献１】山本  純士、“季節の花３００”、［online］、平成９年１月５日、［平成１７年２月７日検索］、インターネット＜URL：http://www.hana300.com/tuyuku.html＞
【発明の開示】
【発明が解決しようとする課題】
【０００３】
本発明は上記のように抽出後退色が早く実用的な顔料として使用できなかった露草花弁の抽出色素を、使用可能に定着できる抽出方法を提供するものである。
【課題を解決するための手段】
【０００４】
上記課題を解決するための本発明の露草花弁色素は花弁を食塩水に浸漬することにより抽出された花弁の色素を、食塩水中に含ませてなることを特徴としている。
【０００５】
また本発明の方法は、第１に、摘花された露草の花弁を食塩水に浸漬することにより色素を抽出し定着させることを特徴としている。
【０００６】
第２に、色素抽出した色素含有食塩水を曝気処理することを特徴としている。
【０００７】
第３に、色素抽出した色素含有食塩水を低温保存し、顔料として使用する前に振動を与え又は曝気処理することにより色素を鮮明に復元することを特徴としている。
【０００８】
第４に、食塩水が飽和食塩水であることを特徴としている。
【０００９】
第５に、水に黒鉛珪石を浸漬させ、食塩を黒鉛珪石に接触又は近接させることにより処理したもので食塩水を作ることを特徴としている。
【００１０】
次に前記露草花弁色素を顔料として用いた本発明の多機能印刷シールは第１に露草花弁色素を顔料として添加した印刷インクにより表面に印刷を施してなることを特徴としている。
【００１１】
第２に印刷模様が青色の正円と該正円内に納まる赤色の星形八角形とからなり、星形正八角形の外周に一定幅の輪郭部を形成し、該輪郭部が上記正円に略内接することを特徴としている。
【発明の効果】
【００１２】
以上のように構成される本発明の方法は、従来抽出後短時間で退色や変色によって顔料として使用不可能であった露草花弁色素を、実用的に使用可能な状態で青色の顔料として抽出、定着することを可能にするものである。
また抽出液を低温保存することにより青の色彩を保ち、曝気処理や振動処理することによって鮮明な青色を復元保持することができる。さらに飽和食塩水による抽出で抽出効果及び定着効果が向上し、食塩や水を黒鉛珪石で処理したものを用いることにより色の濁りが防止され青色の鮮明度が高まる効果がある。
さらに本発明による露草花弁色素を原料として添加した印刷インクを用いて表面に印刷を施したシールは、各種対象物に近接させることにより、電磁波の低減，酸化した食品の還元作用等の他，脱臭，植物の発芽成育促進等の作用を行う等の効果がある。
【発明を実施するための最良の形態】
【００１３】
以下図示する本発明の実施形態を説明すると、６〜１０月の開花期に摘花された花弁は、処理日程や一回の処理に適した量を考慮し、そのまま６℃程度の低温で１週間以内位を限度として低温下で密封保存される。この保存期間が長過ぎたり、保存温度が適さない場合は、抽出液の鮮度低下や濁りを生じる原因となり、特に凍結を避ける必要がある。
【００１４】
色素抽出の最初の処理は常温下で１０日間位食塩水に投入又は加圧下で浸漬することによって行い、この食塩水は塩分濃度が高い飽和食塩水が望ましいが、重量比４〜３７％程度の濃度のものの使用が可能であり、発明者による実施では２７％で行った。この塩分濃度が高い程色素の濃度も高く、抽出時間が短時間で行われる。但し、塩分濃度が高過ぎると低温保存時に塩分の再結晶量が多いため、飽和食塩水作製時の温度は後述する低温保存時の温度に近い方が望ましい。
【００１５】
食塩水作製時に混合される水分と塩はそれぞれ黒鉛珪石で処理したものを用い、水は水中に黒鉛珪石を浸漬することにより、塩は黒鉛珪石粒と共に撹拌することにより接触又は近接させて処理した物をそれぞれ用いた。この処理により抽出液の色の鮮度が高くなる。
【００１６】
食塩水への浸漬処理により、色素が食塩水によって抽出されるが、色素を含む抽出液は、花弁の残渣を除去するために濾過された後、酸素と接触させて色の鮮度を高めるために曝気槽において曝気処理する。この曝気処理は常温で行われるが、５０℃以下の加温下で行ってもよく、加温により曝気処理に要する時間の短縮化が図れる。但しこの時の温度が高過ぎると色素の退色（脱色）が発生する。
【００１７】
上記のような浸漬，曝気処理により、鮮度の高いコバルトブルー又はエジプシアンブルー等の青の原色に近い澄んだ透明色となり、そのまま食品，飲料水，化粧水，印刷インク等への顔料として添加使用することが可能となる。
【００１８】
通常は凍結を避けるように０〜１５℃程度の低温化で密封保存されたものが使用され、保存期間は発明者等の実験によれば６ヶ月以上が可能である。その際の保存温度を０℃以下で、凍結させると鮮度低下、濁りの発生等の不都合が生じ、１５℃を超えると脱色される可能性が高い。また塩分濃度が低いと退色が早いほか、保存容器はプラスチック材等の有機質系のものを避け、ガラス，陶磁器製のものが望ましい。
【００１９】
上記のように保存された色素抽出液は曝気槽内で曝気し又は振動を与えることにより、内部に溶存する不要なガスを放出させ、色の復元化，鮮明化を図った後に使用するが、酸素に接触させる点で曝気処理の方が望ましい。
【００２０】
上記のように処理された色素抽出液は、抽出後において蒸発等によって水分を除去して濃縮することも可能であるが、加熱等による処理は色素の退色又は脱色を生じる可能性が高いので避けることが望ましい。また本発明による抽出液は薬剤等を使用しないので有害物を含まず、食品，飲物，化粧品等への使用が可能であるほか、単独で又は在来の顔料とともに印刷用インクへの使用も可能であり、特に飲食品等の包装資材への印刷に適している。
【００２１】
本発明によって得た抽出色素は食塩水によって抽出したものであるにもかかわらず、例えば油性のインク溶剤を含むものに添加混合しても、その油性溶剤と分離することもなく溶解し合うことが、発明者等の実験により確認されている。
【００２２】
次に本発明による色素を上記のように通常の印刷インクに添加したものでシール表面にカラー印刷を施す方法と当該シールの各種の作用について説明する。この実施例は台紙から剥離可能な離型紙の表面に印刷を行い印刷部分のみを剥離して他の部材に貼着できる構成になっている。しかし上記シールの材質は色彩が鮮明に表われるものであれば特に限定されない。
【００２３】
図２（Ａ），（Ｂ）は印刷されたシールの平面図及び側面図で、全体は略正方形の台紙１上に不乾のりによって剥離及び再接着可能に離型紙（剥離紙）からなる少なくとも表面が耐水性を有する表面シート２を貼着したものである。表面シート２の中央には直径約８７ｍｍの円形のシール外形線を兼ねた切目３が付され、この切目３に沿って円形のシール４が剥離可能に構成されている。
【００２４】
上記切目（外形線）３内には約１ｍｍの余白部分を介して切目（外形線）３と略同心の円形の印刷部からなる円形印刷部６が印刷されている。該円形印刷部６内には星形正八角形の約１ｍｍ幅の線状又は帯状の余白部若しくは白抜き部からなる輪郭部７が略内接するように形成され、該輪郭部７内にこれと相似形をなす星形正八角形の星形印刷部８が印刷されている。
【００２５】
上記円形印刷部６は青色（色名解説ＮＯ．２７６で示される「ロイヤルブルー」又はそれに近似した色）に、星形印刷部８は赤色（色名解説ＮＯ．２２で示される「マゼンタ」（露草の赤）又はこれに近似した色）に印刷される。上記「色名解説ＮＯ」及び「色名」は「色名辞典」中の「色名解説」の番号と「色名一覧」中の「基本色彩語」により、青色では上記のほかにＮＯ．２７１「デルフトブルー」，ＮＯ．２７２「コバルトブルー」，ＮＯ．２７４「群青色」，ＮＯ．２７５「瑠璃色」，ＮＯ．２７９「ブルシアンブルー」等も表われることもあり得る。同様に赤色ではＮＯ．１３「オペラ」，ＮＯ．２１「牡丹色」等に表われることもあり得る。
【００２６】
上記青色及び赤色を出すための印刷用インク及び本発明の露草花弁色素の配合は表１の通りである。但し露草花弁色素は青に関しては既述のように顔料としての使用のための前処理を施したものを用い、赤色に関しては酢酸又は食酢等の有機酸（ｐＨ３〜６望ましくは４，５前後）を添加して赤色変化させたものを用いた。
【００２７】
【表１】
2006307102.tif 000003
【００２８】
次に上述及び図２のように印刷製造されたシール各種の機能を確認するいくつかの実験例について説明する。
【００２９】
＜実験１＞
１．実験名  携帯電話の電磁波低減効果の確認
２．実験日  ２００４年１１月１６日
３．使用機器
（１）携帯電話  ＡＵ  ＫＤＤＩ  ＫＹ−ＣＪＡ  コード１０１２ＵＡＡ
（２）測定器    （株）万雄製  電磁波テスター
４．実験方法
先ず発明者において携帯電話と電磁波測定器をテーブル平面上に左右方向に近接さ
せて並べた状態で上下方向に配置し、いずれも電磁波測定器のスイッチをＯＮ状態と
して、最初の実験では携帯電話のスイッチをＯＦＦに、２番目の実験では同スイッチ
をＯＮにして他の電話からの着信状態に、３番目の実験では本発明のシール上に携帯
電話を置いて２番目と同様に着信状態とした。
【００３０】
５．実験結果
上記三つの状態で電磁波を測定したところ、最初の実験では測定器の電磁波測定値
は０．１ｍＧ（ミリガウス）で自然界に存在する以上の電磁波は放射されていないこ
とを示した。２番目の実験ではその測定値が１２００ｍＧを示し、相当量の電磁波を
測定した。これに対し、本発明のシールを敷いた第３番目の実験では０．１ｍＧの数
値を示し、本発明のシールによる電磁波の低減効果が確認された。
【００３１】
＜実験２＞
１．実験名  酸化した食用油の還元実験
２．実験日及び場所  ２００４年１２月８日（於：島根県雲南市、木次乳業有限会社  企
画開発室）
３．実験方法
レストランで天ぷら用として使用された酸化により黒色変化した油を２本の三角フ
ラスコ（底径約８０ｍｍ）内に約５ｍｌ収容し、一方は本発明シールの円形図面上に
置き、他方はテーブル上に静置し、０分，５分，１０分，６０分の間隔で過酸化物価
を測定した。
【００３２】
４．実験結果
上記測定の結果、シール上のものは計測毎に７．９６，４．１９，３．９７，
２．６９（ｍｅｇ／ｋｇ）と酸化の度合いが低減し且つ黒色も薄く変化するのに対し
、他方は全く変化せず、本発明による使用済食用油に対する還元作用があることが確
認できた。
【００３３】
＜実験３＞
１．実験名  水溶液中の農薬濃度の低減
２．実験日及び機関
（１）実験（測定報告）日  ２００５年３月１８日
（２）実験（測定）機関  （財）北海道薬剤師会公衆衛生検査センター
【００３４】
３．実験方法
（１）はじめに
農薬は殺虫剤，殺菌剤，除草剤，植物成長調整剤など多種に分類される。こ
れら農薬は戦後、食糧を増産するため多く使用されてきたが、最近になって生
態系に影響を及ぼすことが取り上げられている。この中でも殺虫剤として多く
使用される有機リン酸系殺虫剤はコリンエステラーゼを阻害し殺虫効果をもた
らすが、人体への毒性も強いため毎年中毒患者が多く出ている。今回の実験で
は有機リン系の殺虫剤であるフェニトロチオンを使用して実験を行った。
【００３５】
（２）実験方法
ｎ−ヘキサンにマイクロピペットでフェニトロチンを加えよく振盪し１６０
μｇ／ｍｌ濃度のフェニトロチオン・ヘキサン溶液１００ｍｌを調整した。次
にこの調整溶液を５０ｍｌずつに分けフェニトロチオン−Ａ，Ｂとした。その
後、本発明シールの上に１５分のせたものをフェニトロチオン−Ａ、シールに
のせないものをフェニトロチオン−Ｂとし、ＧＣ／ＭＳでフェニトロチオン−
Ａ，Ｂの同定と濃度を測定した。
【００３６】
（３）使用薬剤・機器
・フェニトロチオン［ｏ，ｏ−ｄｉｍｅｔｈｙｌ−ｏ−（３−ｍｅｔｈｙｌ−
４−ｎｉｔｒｏｐｈｅｎｙｌ）ｔｈｉｏｐｈｏｓｐｈａｔｅ］（キング化学
製）
・ｎ−ヘキサン  残留農薬、ＰＣＢ試験用（純正化学製）
・測定器：ＧＣ／ＭＳ（島津製作所ＧＣ９Ａ／日本電子ＪＭＳＫ９）
・分析方法：ガスクロマトグラフ法（ＦＰＤ）
【００３７】
４．実験結果
上記実験の結果、無処理液Ｂのフェニトロチオン量が１６０ｍｇ／ｌであるのに対
し、本発明のシール上で処理したものが７５ｍｇ／ｌであり、１／２以下に低減され
ていることが確認された。
【００３８】
５．考察
フェニトロチオンの分解物として容易に考えられるものが、ジメチルチオリン酸と
３−メチル−４−ニトロフェノールであるが、これら分解物のピークはＧＣシート中
には見られなかった。これら分解物に対するスタンダードを有していなかったため正
確な測定はできなかったが、もしこれら分解物のピークが認められない場合には、有
機物質が燃焼したときと同じように農薬が違った形のエネルギーに変換されたものと
推測することができる。
【００３９】
＜その他＞
上記実験のほか、本発明シールを用いた場合の養鶏場の糞の臭いの消臭，野草の種の発芽率の向上や成育促進等の作用効果が確認されている。なお電磁波の低減については、パソコンのモニター画面やテレビ画面から発生する電磁波の低減効果があることが確認されている。
【産業上の利用可能性】
【００４０】
本発明の方法により抽出された露草花弁の色素は、飲食品や化粧品の顔料として又は印刷インクの顔料としても使用することができる。
【図面の簡単な説明】
【００４１】
【図１】本発明の色素抽出及び定着の処理工程を示すブロック図である。
【図２】（Ａ），（Ｂ）は本発明の露草花弁色素を印刷用インクに添加して印刷した多機能印刷シールの平面図及び側面図である。
【図１】
2006307102.tif 000004
【図２】
2006307102.tif 000005